(57)【要約】【課題】テレビ受信機の音声を補聴器の音声調整データに基づいて調整することができるテレビ受信機の音声調整システム、及びテレビ受信機を提供する。【解決手段】無線通信インターフェース部１１３が補聴器２００との接続を完了し、ユーザーが補聴器２００を装着していないことを制御部１０９の音声調整処理部１０９ａが検知すると、音声出力処理部１０４に音声調整開始通知を出力する。音声出力処理部１０４は、音声処理部１０３から出力される音声データを、記憶部１０９の音声調整データ保存バッファ１１０ａに保存されている補聴器２００の音声調整データに基づいて音域と音量の調整を行う。また、ユーザーが補聴器２００を装着したことを音声調整処理部１０９ａが検知すると、音声出力処理部１０４に音声調整終了通知を出力する。音声出力処理部１０４は、音声処理部１０３から出力される音声データの音域と音量の調整を終了する。【選択図】図２
2013175923.tif 000002
【特許請求の範囲】
【請求項１】
補聴器とテレビ受信機を備えたテレビ受信機の音声調整システムであって、
前記補聴器は、
前記補聴器が音声出力を調整するための音声調整データを前記テレビ受信機に送信する音声調整データ送信手段を有し、
前記テレビ受信機は、
前記音声調整データを前記補聴器から受信する音声調整データ受信手段と、
前記音声調整データに基づいて音声出力を調整する音声出力調整手段とを有する
ことを特徴とするテレビ受信機の音声調整システム。
【請求項２】
前記補聴器において音声が出力される機能部に電源を供給するサブ電源ルートが切りであるときに前記補聴器が装着されていないと判定し、前記サブ電源ルートが入りであるときに前記補聴器が装着されていると判定することを特徴とする請求項１に記載のテレビ受信機の音声調整システム。
【請求項３】
前記テレビ受信機は、音声出力の調整を開始するときに前記音声調整データ受信手段により受信した前記音声調整データを保存し、音声の調整を終了するときに保存した前記音声調整データを消去することを特徴とする請求項１または請求項２に記載のテレビ受信機の音声調整システム。
【請求項４】
前記テレビ受信機は、前記音声調整データに設定されるユーザーの聴力データに基づいて字幕の表示が必要かを判定し、字幕の表示が必要であるときに字幕を表示することを特徴とする請求項１から請求項３のいずれか１項に記載のテレビ受信機の音声調整システム。
【請求項５】
前記テレビ受信機は、前記補聴器に対する認証が完了したときに前記補聴器において前記サブ電源ルートが切りであるか入りであるかを判定することを特徴とする請求項１から請求項４のいずか１項に記載のテレビ受信機の音声調整システム。
【請求項６】
前記テレビ受信機は、前記音声調整データによる音声の調整を開始するときに音声の調整を行うかの確認メッセージを表示し、音声の調整を行う設定が入力されたときに音声が調整されることを特徴とする請求項１から請求項５のいずれか１項に記載のテレビ受信機の音声調整システム。
【請求項７】
音声調整データを補聴器から受信する音声調整データ受信手段と、
前記音声調整データに基づいて音声出力を調整する音声出力調整手段とを有する
ことを特徴とするテレビ受信機。
【請求項８】
前記補聴器において音声が出力される機能部に電源を供給するサブ電源ルートが切りであるときに前記補聴器が装着されていないと判定し、前記サブ電源ルートが入りであるときに前記補聴器が装着されていると判定することを特徴とする請求項７に記載のテレビ受信機。
【請求項９】
音声の調整を開始するときに前記音声調整データ受信手段により受信した前記音声調整データを保存し、音声の調整を終了するときに保存した前記音声調整データを消去することを特徴とする請求項７または請求項８のいずか１項に記載のテレビ受信機。
【請求項１０】
前記音声調整データに設定されるユーザーの聴力データに基づいて字幕の表示が必要かを判定し、字幕の表示が必要であるときに字幕を表示することを特徴とする請求項７から請求項９のいずれか１項に記載のテレビ受信機。
【請求項１１】
前記補聴器に対する認証が完了したときに前記補聴器において前記サブ電源ルートが切りであるか入りであるかを判定することを特徴とする請求項７から請求項１０のいずか１項に記載のテレビ受信機。
【請求項１２】
前記音声調整データによる音声の調整を開始するときに音声の調整を行うかの確認メッセージを表示し、音声の調整を行う設定が入力されたときに音声が調整されることを特徴とする請求項７から請求項１１のいずれか１項に記載のテレビ受信機。
【発明の詳細な説明】
【技術分野】
【０００１】
本発明は、テレビ受信機の音声の調整を行うテレビ受信機の音声調整システム、及びテレビ受信機に係り、特にテレビ受信機の音声をユーザーが装着している補聴器の調整値に合わせて調整することができるテレビ受信機の音声調整システムに関する。
【背景技術】
【０００２】
高齢化社会が進み、補聴器を装着する人が増加している。これに伴い、複数の型式の補聴器や複数の機能を備えた補聴器が提供されている。例えば、補聴器の型としては、耳の窪みに挿入する耳あな型、耳に掛ける耳かけ型、補聴器本体をポケットに入れるポケット型、及びメガネと補聴器が１体となったメガネ型などがある。また、補聴器の機能としては、電話のピーピー音を防ぐ機能、衝撃音を和らげる機能、騒音を抑え言葉を強調する機能、及びユーザーの音環境を判断して声や音を拾う範囲を自動的に調整する機能などがある。ユーザーが補聴器を購入する場合には、どの型の補聴器にするかやどのような機能を備えた補聴器にするかを選択する。また、ユーザーの聴力レベルを測定したデータ（以下、聴力データという）に基づいて、ユーザーに対して最適となるような音の周波数領域（以下、音域という）の調整や耳を保護するための最大音を制限する最大出力音圧の調整が行われる。しかし、このようにユーザーに最適な高価な補聴器を購入して装着した場合でも、ユーザーは補聴器を長時間装着すると耳に圧迫感や疲れを感じ、更に耳に炎症や痛みを起こすことがあった。このため、ユーザーはせっかく高価な補聴器を購入したにもかかわらず、補聴器を常時装着せずに時々補聴器を外すことによって、身体への負担を軽減するようにしていた。例えば、ユーザーが人と会話をすることなく長時間テレビを見る場合には、補聴器を外してテレビ受信機に表示される字幕だけでテレビを見ていることがあった。
【０００３】
テレビジョン放送の音声を、難聴者に考慮して出力することができる技術として下記の特許文献１がある。特許文献１では、難聴者の聴力データをテレビ受信機に登録しておき、難聴者用音声出力モードを選択指定することで、テレビ受信機の音声を難聴者の聴力データに基づいて自動調整して出力する。また、テレビ受信機を健常者と難聴者が左右に分かれて視聴するときに、通常の音声を健常者がいる左側または右側から出力し、調整した音声を難聴者がいる右側または左側から出力することで、健常者と難聴者が同じ番組を同時に視聴する場合でも、健常者と難聴者が聞きやすい音声に調整することができるテレビ視聴システムを提供している。
【先行技術文献】
【特許文献】
【０００４】
【特許文献１】特開２００３−２３００７１号公報
【発明の概要】
【発明が解決しようとする課題】
【０００５】
このような特許文献１のテレビ視聴システムでは、予め難聴者の聴力データをテレビ受信機に登録しなければならないので、難聴者が聴力データをテレビ受信機に登録するという作業が必要となる。また、複数の難聴者が同じテレビ受信機で視聴する場合には、テレビ受信機にそれぞれの難聴者が聴力データを登録し、更に登録されている複数の聴力データから自分の聴力データや調整データを選択する作業も必要となる。このように聴力データや調整データの登録及び選択という作業が発生するので手間がかかるという問題がある。更に、不特定多数の人が視聴するテレビ受信機に難聴者の聴力データが登録されると、個人情報である聴力データが漏洩する可能性があるという問題があった。
【０００６】
本発明はこのような状況に鑑みてなされたものであり、上記課題を解決できるテレビ受信機の音声調整システム、及びテレビ受信機を提供することを目的とする。
【課題を解決するための手段】
【０００７】
本発明のテレビ受信機の音声調整システムは、補聴器とテレビ受信機を備えたテレビ受信機の音声調整システムであって、前記補聴器は、前記補聴器が音声出力を調整するための音声調整データを前記テレビ受信機に送信する音声調整データ送信手段を有し、前記テレビ受信機は、前記音声調整データを前記補聴器から受信する音声調整データ受信手段と、前記音声調整データに基づいて音声出力を調整する音声出力調整手段とを有することを特徴としている。
また、本発明のテレビ受信機の音声調整システムの前記補聴器において音声が出力される機能部に電源を供給するサブ電源ルートが切りであるときに前記補聴器が装着されていないと判定し、前記サブ電源ルートが入りであるときに前記補聴器が装着されていると判定することを特徴としている。
また、本発明のテレビ受信機の音声調整システムの前記テレビ受信機は、音声出力の調整を開始するときに前記音声調整データ受信手段により受信した前記音声調整データを保存し、音声の調整を終了するときに保存した前記音声調整データを消去することを特徴としている。
また、本発明のテレビ受信機の音声調整システムの前記テレビ受信機は、前記音声調整データに設定されるユーザーの聴力データに基づいて字幕の表示が必要かを判定し、字幕の表示が必要であるときに字幕を表示することを特徴としている。
また、本発明のテレビ受信機の音声調整システムの前記テレビ受信機は、前記補聴器に対する認証が完了したときに前記補聴器において前記サブ電源ルートが切りであるか入りであるかを判定することを特徴としている。
また、本発明のテレビ受信機の音声調整システムの前記テレビ受信機は、前記音声調整データによる音声の調整を開始するときに音声の調整を行うかの確認メッセージを表示し、音声の調整を行う設定が入力されたときに音声が調整されることを特徴としている。
また、本発明のテレビ受信機は、音声調整データを補聴器から受信する音声調整データ受信手段と、前記音声調整データに基づいて音声出力を調整する音声出力調整手段とを有することを特徴としている。
また、本発明のテレビ受信機は、前記補聴器において音声が出力される機能部に電源を供給するサブ電源ルートが切りであるときに前記補聴器が装着されていないと判定し、前記サブ電源ルートが入りであるときに前記補聴器が装着されていると判定することを特徴としている。
また、本発明のテレビ受信機は、音声の調整を開始するときに前記音声調整データ受信手段により受信した前記音声調整データを保存し、音声の調整を終了するときに保存した前記音声調整データを消去することを特徴としている。
また、本発明のテレビ受信機は、前記音声調整データに設定されるユーザーの聴力データに基づいて字幕の表示が必要かを判定し、字幕の表示が必要であるときに字幕を表示することを特徴としている。
また、本発明のテレビ受信機は、前記補聴器に対する認証が完了したときに前記補聴器において前記サブ電源ルートが切りであるか入りであるかを判定することを特徴としている。
また、本発明のテレビ受信機は、前記音声調整データによる音声の調整を開始するときに音声の調整を行うかの確認メッセージを表示し、音声の調整を行う設定が入力されたときに音声が調整されることを特徴としている。
【発明の効果】
【０００８】
本発明は、通常は補聴器を装着しているユーザーが補聴器を装着しないで番組を視聴するときに、補聴器に保存されたユーザーの聴力データや補聴器用の調整データを自動的にテレビ受信機に送信して、テレビ受信機の音声を調整することができるテレビ受信機の音声調整システム、及びテレビ受信機を提供する。
【図面の簡単な説明】
【０００９】
【図１】本発明の実施形態に係る音声調整システムの概要を示す図である。
【図２】本発明の実施形態に係るテレビ受信機の機能構成を示す図である。
【図３】本発明の実施形態に係る補聴器の機能構成を示す図である。
【図４】本発明の実施形態に係る補聴器における音声調整データの構成を示す図である。
【図５】本発明の実施形態に係るテレビ受信機における音声補正処理のフローチャートである。
【図６】本発明の実施形態に係る補聴器における音声調整データ送信処理のフローチャートである。
【図７】本発明の実施形態に係る他の実施例となるテレビ受信機における音声調整データ自動保存処理のフローチャートである。
【図８】本発明の実施形態に係る他の実施例となる補聴器における音声調整データ自動送信処理のフローチャートである。
【発明を実施するための形態】
【００１０】
以下、本発明を実施するための形態（以下、「実施形態」という）について図面を参照して説明する。本発明は、通常は補聴器を装着しているユーザーが補聴器を外し、その補聴器をテレビ受信機の近くに置くと、補聴器に保存されているユーザーの聴力データ及び補聴器用の音声を調整するためのデータ（以下、音声調整データという）をテレビ受信機が自動的に受信し、この音声調整データに基づいてテレビ受信機が出力する音声を調整するものである。尚、音声調整データは、予め補聴器に保存されている。
【００１１】
本実施形態におけるテレビ受信機の音声調整システム１０の概要について、図１を用いて説明する。音声調整システム１０は、図１に示すようにテレビ受信機１００と、補聴器２００から構成されている。補聴器２００はテレビ受信機１００を視聴するユーザーが通常は装着しているものである。本実施形態においては、ユーザーはこの補聴器２００を装着せずにテレビ受信機１００の近くに置くことで、無線信号をBluetooth（登録商標）やZigBee（登録商標）などの数１０ｍ程度以内で有効な無線通信手段を用いてテレビ受信機１００と補聴器２００が無線通信を行う。本発明では、このような無線通信手段を「近距離無線通信手段」ということにする。
【００１２】
次に、テレビ受信機１００の機能構成について、図２を用いて説明する。図２に示すように、テレビ受信機１００は、デジタルチューナ１０１、ＴＳ（トランスポートストリーム）デコーダ１０２、音声処理部１０３、音声出力処理部１０４、映像処理部１０５、ＯＳＤ処理部１０６、表示処理部１０７、テレビモニタ１０８、制御部１０９、記憶部１１０、補助記憶部１１１、リモコン受光部１１２、無線通信インターフェース部１１３、電源制御部１１４、及び電源１１５から構成されている。制御部１０９は、音声調整処理部１０９ａを備えている。記憶部１１０は、音声調整データ保存バッファ１１０ａを備えている。補助記憶部１１１は、補聴器シリアル番号保存エリア１１１ａを備えている。
【００１３】
デジタルチューナ１０１には、デジタル放送電波を受信するアンテナ１２０が接続され、デジタルチューナ１０１は、このアンテナ１２０からデジタル放送電波を入力し、これらの放送電波をトランスポートストリームパケット（ＴＳパケット）に復調し、ＴＳデコーダ１０２に出力する。ＴＳデコーダ１０２は、このＴＳパケットから所望の番組放送の映像音声ストリーム、番組情報を抽出する。抽出された所望の番組放送の映像音声ストリーム、番組情報は、ＭＰＥＧ−２によって符号化されているデジタルデータである。音声処理部１０３は、符号化された映像音声ストリームから音声データを復号し、復号した音声データを音声出力処理部１０４に出力する。音声出力処理部１０４は、音声処理部１０３から出力される音声データを入力するとスピーカーから出力可能な音声信号に変換し、テレビモニタ１０８に出力する。また、音声出力処理部１０４は、制御部１０９の音声調整処理部１０９ａから出力される音声調整開始通知を入力すると、音声処理部１０３から出力される音声データを記憶部１１０の音声調整データ保存バッファ１１０ａに保存されている音声調整データに基づいて音声データの音域と音量の調整を行う。また、音声出力処理部１０４は、制御部１０９の音声調整処理部１０９ａから出力される音声調整終了通知を入力すると、音声データの音域と音量の調整を終了する。
【００１４】
映像処理部１０５は符号化された映像音声ストリームから映像データを復号し、復号した映像データをＯＳＤ処理部１０６に出力する。ＯＳＤ処理部１０６は、映像処理部１０５から出力される映像データに、制御部１０９から出力される映像データを重ね合わせ、その重ね合わせた映像データを表示処理部１０７に出力する。表示処理部１０７は、ＯＳＤ処理部１０６から重ね合わされた映像データを受信すると映像信号に変換し、テレビモニタ１０８に出力する。また、表示処理部１０７は、制御部１０９の音声調整処理部１０９ａから出力される字幕表示通知を入力すると、映像処理部１０５から出力される映像データに含まれている字幕をテレビモニタ１０８に表示する。また、表示処理部１０７は、制御部１０９の音声調整処理部１０９ａから出力される字幕消去通知を入力すると、映像処理部１０５から出力される映像データに含まれている字幕が表示されているときには字幕を消去する。テレビモニタ１０８は、音声出力処理部１０４から音声信号を入力すると、テレビモニタ１０８に設けられたスピーカから音声を出力する。また、テレビモニタ１０８は、表示処理部１０７から出力される映像信号を入力すると映像を表示する。
【００１５】
制御部１０９は、リモコン受光部１１２から入力するユーザーの操作信号に基づき放送チャンネルやデータ放送を切り替えながら、放送受信端末１００全体を制御する。制御部１０９の音声調整処理部１０９ａが実行する音声調整処理については、後述する。記憶部１１０は、テレビ受信器１００の基本機能を実現するためのプログラム、制御部１０９が実行するプログラム、及びプログラムで用いられるデータなどを一時的に記憶するメモリである。記憶部１１０の音声調整データ保存バッファ１１０ａには、補聴器２００から送信される音声調整データが一時的に保存される。補助記憶部１１１は、テレビ受信器１００のプログラムやこのプログラムにて用いられるデータなどを記憶するハードディスクドライブである。補助記憶部１１１の補聴器シリアル番号保存エリア１１１ａには、補聴器２００を識別するための補聴器シリアル番号が保存される。補聴器シリアル番号は、補聴器２００と無線通信を行うときに認証データとして用いられる。リモコン受光部１１２は、リモコン１３０に設けられた操作ボタンをユーザーが操作することでリモコン１３０から送信される赤外線による操作信号を受光する。無線通信インターフェース部１１３は、近距離無線通信手段を用いて補聴器２００とデータの送受信を行う。無線通信インターフェース部１１３は、補聴器２００から送信される補聴器シリアル番号と補助記憶部１１０ａの補聴器シリアル番号保存エリア１１１ａに保存されている補聴器シリアル番号が一致したときに、近距離無線通信手段により補聴器２００と接続する。また、無線通信インターフェース部１１３は、補聴器２００と接続が完了したときに接続完了通知を制御部１０９に出力し、補聴器２００と接続が切断されたときに接続切断通知を制御部１０９に出力する。電源制御部１１４は、電源１１５による電源の供給を制御する。電源１１５は、商用電源などから受電し、電源制御部１１４の制御により電源を供給する。以上の各部１０１〜１０７、及び１０９〜１１４はシステムバス１１６により接続されている。
【００１６】
次に、補聴器２００の機能構成について、図３を用いて説明する。図３に示すように、補聴器２００は、音声入力部２０１、音声調整部２０２、音声出力部２０３、制御部２０４、メモリ部２０５、操作表示部２０６、無線通信インターフェース部２０７、バッテリー電源制御部２０８、及びバッテリー電源２０９から構成されている。制御部２０４は、音声調整データ送信処理部２０４ａを備えている。メモリ部２０５は、音声調整データ保存エリア２０５ａ、補聴器シリアル番号保存エリア２０５ｂ、及び電源状態データ保存エリア２０５ｃを備えている。
【００１７】
音声入力部２０１は、周囲の音声を入力して音声調整部２０２に出力する。音声調整部２０２は、音声入力部２０１から音声を入力すると、メモリ部２０５の音声調整データ保存エリア２０５ａから音声調整データを取り出し、この音声調整データに基づいてアンプなどにより音声をユーザーに最適な音声に調整し、音声出力部２０３に出力する。音声出力部２０３は、音声調整部２０２から入力した調整された音声を出力する。制御部２０４は、操作表示部２０６から起動信号を入力すると補聴器２００全体の制御を開始し、また操作表示部２０６から停止信号を入力すると補聴器２００全体の制御を停止する。制御部２０４の音声調整データ送信処理部２０４ａが実行する音声調整データ送信処理については、後述する。メモリ部２０５は、補聴器２００の基本機能を実現するためのプログラム、制御部２０４が実行するプログラム、及びプログラムで用いられるデータなどを記憶するＩＣメモリである。メモリ部２０５の音声調整データ保存エリア２０５ａには、補聴器２００が音声を調整するためのデータが保存される。音声調整データ保存エリア２０５ａの構成については、後述する。メモリ部２０５の補聴器シリアル番号保存エリア２０５ｂには、補聴器２００を識別するための補聴器シリアル番号が保存される。補聴器シリアル番号は、テレビ受信機１００と無線通信を行うときに認証データとして用いられる。メモリ部２０５の電源状態データ保存エリア２０５ｃには、補聴器２００の電源状態データがバッテリー電源制御部２０８により保存される。電源状態データについては、後述する。操作表示部２０６は、ユーザーが操作可能な補聴器２００の起動停止スイッチや表示ランプを備え、ユーザーが起動操作を行うと起動信号を制御部２０４に出力し、またユーザーが停止操作を行うと停止信号を制御部２０４に出力する。操作表示部２０６は、バッテリー電源切れの警告をバッテリー電源制御部２０８から入力すると、表示ランプを点灯する。
【００１８】
無線通信インターフェース部２０７は、テレビ受信機１００から補聴器シリアル番号の要求を受信すると、メモリ部２０５の補聴器シリアル番号保存エリア２０５ｂから補聴器シリアル番号を取り出し、テレビ受信機１００に送信する。送信した補聴器シリアル番号とテレビ受信機１００の補聴器シリアル番号保存エリア１１１ａに保存されている補聴器シリアル番号が一致したときに、近距離無線通信手段によりテレビ受信機１００と接続される。また、無線通信インターフェース部２０７は、テレビ受信機１００と接続が完了したときに接続完了通知を制御部２０４に出力する。
【００１９】
バッテリー電源制御部２０８は、バッテリー電源２０９によるメイン電源ルートとサブ電源ルートへの電源の供給を制御する。メイン電源ルートは、バッテリー電源２０９と接続される、制御部２０４、メモリ部２０５、操作表示部２０６、無線通信インターフェース部２０７、及びバッテリー電源制御部２０８に電源を供給する電源ルートであり、メイン電源ルートが「ＯＮ（入り）」であるときは、バッテリー電源２０９から電源の供給を受けている状態である。また、メイン電源ルートが「ＯＦＦ（切り）」であるときは、補聴器１００が停止している状態である。サブ電源ルートは、音声入力部２０１、音声調整部２０２、及び音声出力部２０３に電源を供給する電源ルートであり、メイン電源ルートから供給される電源はサブ電源ルートが「ＯＮ」であるときに音声入力部２０１、音声調整部２０２、及び音声出力部２０３に電源が供給される。メイン電源ルートが「ＯＮ」及びサブ電源ルートが「ＯＮ」であるときは、補聴器１００の全ての部位に電源を供給している状態である。しかし、メイン電源ルートが「ＯＮ」及びサブ電源ルートが「ＯＦＦ」であるときは、補聴器１００の制御部２０４、メモリ部２０５、操作表示部２０６、無線通信インターフェース部２０７、及びバッテリー電源制御部２０８のみに電源を供給している状態である。つまり、音声入力部２０１、音声調整部２０２、及び音声出力部２０３には電源が供給されないので、音声の調整が行われていない状態である。サブ電源ルートの「ＯＮ」または「ＯＦＦ」の状態は、電源状態データとしてメモリ部２０５の電源状態データ保存エリア２０５ｃに保存される。また、サブ電源ルートの「ＯＮ」または「ＯＦＦ」の状態が変化すると電源状態データ保存エリア２０５ｃに保存されている電源状態データが更新される。メイン電源ルート及びサブ電源ルートの「ＯＮ」と「ＯＦＦ」の操作は、ユーザーが操作表示部２０６から行うことができる。バッテリー電源２０９は、バッテリー電源制御部２０８からの制御により電源を供給する。以上の各部２０１〜２０８はシステムバス１１６により接続されている。
【００２０】
次に、補聴器２００のメモリ部２０５に記憶されている音声調整データ保存エリア２０５aの構成について図４を用いて説明する。図４に示すように、音声調整データ保存エリア２０５ａは、「周波数（Ｈｚ）」、「ユーザーの聴力（ｄＢ）」、及び「音域調整データ」から構成されている。「周波数（Ｈｚ）」には、補聴器２００の周波数レスポンス特性を調整するときに用いられる周波数（Ｈｚ）が設定されている。「ユーザーの聴力（ｄＢ）」には、「周波数（Ｈｚ）」に設定されている周波数の音をユーザーが聞いたときの聞こえの程度が設定される。難聴の程度が強くなるほど、この「ユーザーの聴力（ｄＢ）」は大きな数値となる。「音域調整データ」には、各々の「周波数（Ｈｚ）」とその「ユーザーの聴力（ｄＢ）」に対応した音量の利得が設定される。例えば、周波数「１０００Ｈｚ」の音をユーザーが聞いたときのユーザーの聴力が「ａ４」であれば、「周波数（Ｈｚ）」の「１０００（Ｈｚ）」に対応する「ユーザーの聴力（ｄＢ）」に「ａ４」が設定される。次いで、周波数「１０００（Ｈｚ）」とユーザーの聴力「ａ４」に対応した音量の利得が「ｂ４」であれば、「周波数（Ｈｚ）」の「１０００（Ｈｚ）」に対応する「音域調整データ」に「ｂ４」が設定される。
【００２１】
次に、テレビ受信機１００における制御部１０９の音声調整処理部１０９ａが実行する音声調整処理について説明する。無線通信インターフェース部１１３が補聴器２００との接続を完了したときに接続完了通知を制御部１０９に出力すると、制御部１０９は音声調整処理部１０９ａを起動する。音声調整処理部１０９ａが起動されると、音声調整処理部１０９ａが音声調整処理を開始する。以下、図５の音声調整処理のフローチャートに示すステップ順に説明する。
【００２２】
（ステップＳ１０１）
まず、音声調整処理部１０９ａは、待ち状態となる。テレビ受信機１００の無線通信インターフェース部１１３が補聴器２００から電源状態データを受信すると、制御部１０９に通知する。制御部１０９がこの通知を入力すると音声調整処理部１０９ａの待ち状態が解除され、音声調整処理部１０９ａが無線通信インターフェース部１１３を経由して補聴器２００の電源状態データ保存エリア２０５ｃから電源状態データを入力する。
【００２３】
（ステップＳ１０２）
次いで、音声調整処理部１０９ａは、ステップＳ１０１でテレビ受信機１００から受信した電源状態データにおいて、サブ電源ルートが「ＯＦＦ」となっているかを判定する。サブ電源ルートが「ＯＦＦ」となっているとき（ステップＳ１０２のＹｅｓ）は、ステップＳ１０３に進む。電源ルートが「ＯＦＦ」でなく「ＯＮ」になっているとき（ステップＳ１０２のＮｏ）は、ステップＳ１１２に進む。
【００２４】
（ステップＳ１０３）
ステップＳ１０２がＹｅｓであるときに、音声調整処理部１０９ａは、音声調整を行う前に音声調整を行うかをユーザーに確認するためのメッセージを生成し、ＯＳＤ処理部１０６に出力する。ＯＳＤ処理部１０６は、映像処理部１０５から出力される映像データに、音声調整を行うかを確認するメッセージを重ね合わせ、その重ね合わせた映像データを表示処理部１０７に出力すると、音声調整を行うかを確認するメッセージがテレビモニタ１０８に表示される。
【００２５】
（ステップＳ１０４）
次いで、音声調整処理部１０９ａは、リモコン受光部１１２からユーザーが音声調整を行う設定を入力したかを判定する。ユーザーが音声調整を行う設定を入力したとき（ステップＳ１０４のＹｅｓ）は、ステップＳ１０５に進む。ユーザーが音声調整を行わない設定を入力したとき（ステップＳ１０４のＮｏ）は、音声調整処理部１０９ａが音声調整処理を終了する。
【００２６】
（ステップＳ１０５）
次いで、音声調整処理部１０９ａは、無線通信インターフェース部１１３を経由して補聴器２００に音声調整データ要求を送信する。
【００２７】
（ステップＳ１０６）
次いで、音声調整処理部１０９ａは、無線通信インターフェース部１１３を経由して補聴器２００から音声調整データを受信する。
【００２８】
（ステップＳ１０７）
次いで、音声調整処理部１０９ａは、記憶部１０９に音声調整データを保存するための音声調整データ保存バッファ１１０ａを確保する。
【００２９】
（ステップＳ１０８）
次いで、音声調整処理部１０９ａは、ステップＳ１０７で確保した音声調整データ保存バッファ１１０ａに、ステップＳ１０６で補聴器２００から受信した音声調整データを保存する。
【００３０】
（ステップＳ１０９）
次いで、音声調整処理部１０９ａは、音声出力処理部１０４に音声調整開始通知を出力する。音声出力処理部１０４がこの音声調整開始通知を入力すると、音声出力処理部１０４は、音声処理部１０３から出力される音声データを記憶部１０９の音声調整データ保存バッファ１１０ａに保存されている音声調整データに基づいて音声データの音域と音量の調整を行う。
【００３１】
（ステップＳ１１０）
次いで、音声調整処理部１０９ａは、記憶部１０９の音声調整データ保存バッファ１１０ａに保存されている音声調整データの聴力データからユーザーの聴力を判断し、ユーザーに字幕の表示が必要であるかを判定する。字幕の表示が必要であるとき（ステップＳ１１０のＹｅｓ）は、ステップＳ１１１に進む。字幕の表示が必要でないとき（ステップＳ１１０のＮｏ）は、音声調整処理部１０９ａは音声調整処理を終了する。
【００３２】
（ステップＳ１１１）
次いで、音声調整処理部１０９ａは、表示処理部１０７に字幕表示通知を出力する。表示処理部１０７がこの字幕表示通知を入力すると、映像処理部１０５から出力される映像データに含まれている字幕をテレビモニタ１０８に表示する。
【００３３】
（ステップＳ１１２）
ステップＳ１０２がＮｏであるときに、音声調整処理部１０９ａは、音声出力処理部１０４が音声データの音域と音量の調整を行っているかを判定する。音声出力処理部１０４が音声データの音域と音量の調整を行っているとき（ステップＳ１１２のＹｅｓ）は、ステップＳ１１３に進む。音声出力処理部１０４が音声データの音域と音量の調整を行っていないとき（ステップＳ１１２のＮｏ）は、音声調整処理部１０９ａは音声調整処理を終了する。
【００３４】
（ステップＳ１１３）
次いで、音声調整処理部１０９ａは、音声出力処理部１０４に音声調整終了通知を出力する。音声出力処理部１０４がこの音声調整終了通知を入力すると、音声出力処理部１０４は、音声処理部１０３から出力される音声データの音域と音量の調整を終了する。
【００３５】
（ステップＳ１１４）
次いで、音声調整処理部１０９ａは、記憶部１０９に確保していた音声調整データ保存バッファ１１０ａを開放する。
【００３６】
（ステップＳ１１５）
次いで、音声調整処理部１０９ａは、表示処理部１０７が字幕を表示しているかを判定する。表示処理部１０７が字幕を表示しているとき（ステップＳ１１５のＹｅｓ）は、ステップＳ１１６に進む。表示処理部１０７が字幕を表示していないとき（ステップＳ１１５のＮｏ）は、音声調整処理部１０９ａは音声調整処理を終了する。
【００３７】
（ステップＳ１１６）
次いで、表示処理部１０７に字幕消去通知を出力する。表示処理部１０７がこの字幕消去通知を入力すると、表示処理部１０７は、映像処理部１０５から出力される映像データの字幕を消去する。そして、音声調整処理部１０９ａは音声調整処理を終了する。
【００３８】
次に、補聴器２００の音声調整データ送信処理部２０４ａが実行する音声調整データ送信処理について説明する。無線通信インターフェース部２０７がテレビ受信機１００との接続を完了したときに接続完了通知を制御部２０４に出力すると、制御部２０４は音声調整データ送信処理部２０４ａを起動する。音声調整データ送信処理部２０４ａが起動されると、音声調整データ送信処理部２０４ａが音声調整データ送信処理を開始する。以下、図６の音声調整データ送信処理のフローチャートに示すステップ順に説明する。
【００３９】
（ステップＳ２０１）
まず、音声調整データ送信処理部２０４ａは、メモリ部２０５の電源状態データ保存エリア２０５ｃから電源状態データを取り出す。
【００４０】
（ステップＳ２０２）
次に、音声調整データ送信処理部２０４ａは、ステップＳ２０１で取り出した電源状態データを無線通信インターフェース部２０７を経由してテレビ受信機１００に送信する。
【００４１】
（ステップＳ２０３）
次に、音声調整データ送信処理部２０４ａは、一定時間以内に補聴器１００から無線通信インターフェース部２０７を経由して音声調整データ要求を受信したかを判定する。音声調整データ要求を受信したとき（ステップＳ２０３のＹｅｓ）は、ステップＳ２０４に進む。音声調整データの要求を受信していないとき（ステップＳ２０３のＮｏ）は、音声調整データ送信処理部２０４ａは、音声調整データ送信処理を終了する。
【００４２】
（ステップＳ２０４）
ステップＳ２０３がＹｅｓであるときに、音声調整データ送信処理部２０４ａは、無線通信インターフェース部２０７を経由してテレビ受信機１００に音声調整データを送信する。そして、音声調整データ送信処理部２０４ａは、音声調整データ送信処理を終了する。
【００４３】
このような実施形態によれば、テレビ受信機の音声調整システム１０は、近距離無線通信手段によりテレビ受信機１００が補聴器２００の電源状態を判別し、サブ電源ルートが「ＯＦＦ」であれば、ユーザーは補聴器２００を装着していないと判定する。そして、ユーザーが補聴器２００を装着していない場合には、テレビ受信機１００が補聴器２００に保存されている音声調整データに基づいて、テレビ受信機１００が出力する音声の音域や音量を調整する。また、テレビ受信機の音声調整システム１０は、サブ電源ルートが「ＯＮ」になったときには、ユーザーは補聴器を装着したと判定する。そして、ユーザーが補聴器２００を装着した場合には、テレビ受信機１００が出力する音声の音域や音量の調整を終了する。更に、テレビ受信機の音声調整システム１０は、ユーザーの聴力データから音声だけでなく字幕が必要であるかを判定し、字幕が必要であるときには字幕を表示することができる。音声調整データは、自動的に補聴器２００からテレビ受信機１００が受信するので、ユーザーがテレビ受信機１００に登録する必要がない。また、音声調整データには、ユーザーの個人情報である聴力データや音域調整データが設定されているが、これらのデータはテレビ受信機１００が音声の調整を終了するときに消去されるので、聴力データや音域調整データの漏洩を防止できる。
【００４４】
なお、本実施形態によれば、テレビ受信機１００と補聴器２００が無線通信を行う場合において、補聴器シリアル番号を認証データとして用いたが、テレビ受信機１００と補聴器２００が認証できるのであれば、補聴器シリアル番号に限定されない。また、テレビ受信機１００と補聴器２００が認証を行わずに接続し、無線通信を行うことも可能である。このような場合には、テレビ受信機１００は補聴器シリアル番号を保存する必要がないので、補助記憶部１１１の補聴器シリアル番号保存エリア１１１ａが不要となる。また、音声の調整において、聴力レベルを測定するときに用いられる各々の周波数（Ｈｚ）とその周波数（Ｈｚ）の音をユーザーが聞いたときの聞こえの程度であるユーザーの聴力（ｄＢ）に対応した音量の利得により音声の調整を行うようにしたが、これに限定されず補聴器２００に用いられている音声を調整するあらゆる方法を適用することが可能である。また、補聴器２００が装着されているか否かをサブ電源ルートの「ＯＮ（入り）」または「ＯＦＦ（切り）」であるかにより判定するようにしたが、これに限定されず、例えば、補聴器２００に接触を感知する機能を設け、補聴器２００が接触を感知したときには補聴器２００が装着されていると判定し、補聴器２００が接触を感知しないときには補聴器２００が装着されていないと判定することも可能である。
【００４５】
次に、実施形態における他の実施例について図面を参照して説明する。他の実施例は、補聴器２００のメイン電源ルートが「ＯＮ（入り）」であり、またテレビ受信機１００の電源１１５が「ＯＮ（入り）」であるときに、補聴器２００の音声調整データをテレビ受信機１００のメモリ部２０５の音声調整データ保存エリア２０５ａに保存し、テレビ受信機１００が「待機状態」から「待機解除状態」となった場合でも、テレビ受信機１００に保存されている音声調整データに基づいてテレビ受信機１００が出力する音声を調整するものである。なお、待機状態とは、テレビ受信機１００の電源１１５が「ＯＮ（入り）」であるが、テレビ受信機１００の制御部１０９が動作していない状態である。他の実施例は、図２に示すテレビ受信機１００において制御部１０９の音声調整処理部１０９ａを音声調整データ自動保存処理部１０９ｂ（図示せず）に、及び図３に示す補聴器２００において制御部２０４の音声調整データ送信処理部２０４ａを音声調整データ自動送信処理部２０４ｂ（図示せず）に置き換える以外は、実施形態の音声調整システム１０に同じである。
【００４６】
次に、テレビ受信機１００における制御部１０９の音声調整データ自動保存処理部１０９ｂが実行する音声調整データ自動保存処理について説明する。無線通信インターフェース部１１３が補聴器２００との接続を完了したときに接続完了通知を制御部１０９に出力すると、制御部１０９は音声調整データ自動保存処理部１０９ｂを起動する。音声調整データ自動保存処理部１０９ｂが起動されると、音声調整データ自動保存処理部１０９ｂは音声調整データ自動保存処理を開始する。以下、図７の音声調整データ自動保存処理のフローチャートに示すステップ順に説明する。
【００４７】
（ステップＳ３０１）
まず、音声調整データ自動保存処理部１０９ｂは、待ち状態となる。テレビ受信機１００の無線通信インターフェース部１１３が補聴器２００から音声調整データを受信すると、制御部１０９に通知する。制御部１０９がこの通知を入力すると音声調整データ自動保存処理部１０９ｂの待ち状態が解除され、音声調整データ自動保存処理部１０９ｂが無線通信インターフェース部１１３を経由して補聴器２００の音声調整データ保存エリア２０５ａから音声調整データを入力する。
【００４８】
（ステップＳ３０２）
次いで、音声調整データ自動保存処理部１０９ｂは、記憶部１０９に音声調整データを保存するための音声調整データ保存バッファ１１０ａを確保する。
【００４９】
（ステップＳ３０３）
次いで、音声調整データ自動保存処理部１０９ｂは、ステップＳ３０２で確保した音声調整データ保存バッファ１１０ａに、ステップＳ３０１で補聴器２００から受信した音声調整データを保存する。
【００５０】
（ステップＳ３０４）
次いで、音声調整データ自動保存処理部１０９ｂは、無線通信インターフェース部１１３を経由して補聴器２００に電源状態データ要求を送信する。
【００５１】
（ステップＳ３０５）
次いで、音声調整データ自動保存処理部１０９ｂは、無線通信インターフェース部１１３を経由して補聴器２００から電源状態データを受信する。
【００５２】
（ステップＳ３０６）
次いで、音声調整データ自動保存処理部１０９ｂは、ステップＳ３０５でテレビ受信機１００から受信した電源状態データにおいて、サブ電源ルートが「ＯＦＦ」となっているかを判定する。サブ電源ルートが「ＯＦＦ」となっているとき（ステップＳ３０６のＹｅｓ）は、ステップＳ３０８に進む。電源ルートが「ＯＦＦ」でなく「ＯＮ」になっているとき（ステップＳ３０６のＮｏ）は、ステップＳ３０７に進む。
【００５３】
（ステップＳ３０７）
ステップＳ３０６がＮｏであるときに、音声調整データ自動保存処理部１０９ｂは、一定時間待ち状態とし、待ち状態が解除されるとステップＳ３０６に戻る。
【００５４】
（ステップＳ３０８）
ステップＳ３０６がＹｅｓであるときに、音声調整データ自動保存処理部１０９ｂは、音声調整を行う前に音声調整を行うかをユーザーに確認するためのメッセージを生成し、ＯＳＤ処理部１０６に出力する。ＯＳＤ処理部１０６は、映像処理部１０５から出力される映像データに、音声調整を行うかを確認するメッセージを重ね合わせ、その重ね合わせた映像データを表示処理部１０７に出力すると、音声調整を行うかを確認するメッセージがテレビモニタ１０８に表示される。
【００５５】
（ステップＳ３０９）
次いで、音声調整データ自動保存処理部１０９ｂは、リモコン受光部１１２からユーザーが音声調整を行う設定を入力したかを判定する。ユーザーが音声調整を行う設定を入力したとき（ステップＳ３０９のＹｅｓ）は、ステップＳ３１０に進む。ユーザーが音声調整を行わない設定を入力したとき（ステップＳ３０９のＮｏ）は、音声調整データ自動保存処理部１０９ｂはステップＳ３１８に進む。
【００５６】
（ステップＳ３１０）
ステップＳ３０９がＹｅｓであるときに、音声調整データ自動保存処理部１０９ｂは、音声出力処理部１０４に音声調整開始通知を出力する。音声出力処理部１０４がこの音声調整開始通知を入力すると、音声出力処理部１０４は、音声処理部１０３から出力される音声データを記憶部１０９の音声調整データ保存バッファ１１０ａに保存されている音声調整データに基づいて音声データの音域と音量の調整を行う。
【００５７】
（ステップＳ３１１）
次いで、音声調整データ自動保存処理部１０９ｂは、予め決められた一定時間待ち状態となる。
【００５８】
（ステップＳ３１２）
次いで、待ち状態が解除されると、音声調整データ自動保存処理部１０９ｂは、補聴器２００との接続が切断されたときに出力される接続切断通知を入力したかを判定する。接続切断通知を入力したとき（ステップＳ３１２のＹｅｓ）は、ステップＳ３１５に進む。接続切断通知を入力しないとき（ステップＳ３１２のＮｏ）は、音声調整データ自動保存処理部１０９ｂはステップＳ３１３に進む。
【００５９】
（ステップＳ３１３）
ステップＳ３１２がＮｏであるときに、音声調整データ自動保存処理部１０９ｂは、テレビ受信機１００が待機状態であるかを判定する。テレビ受信機１００が待機状態であるとき（ステップＳ３１３のＹｅｓ）は、ステップＳ３１４に進む。テレビ受信機１００が待機状態でないとき（ステップＳ３１３のＮｏ）は、音声調整データ自動保存処理部１０９ｂはステップＳ３１１に戻る。
【００６０】
（ステップＳ３１４）
次いで、音声調整データ自動保存処理部１０９ｂは、テレビ受信機１００の待機状態が解除されるまで待ち状態となる。
【００６１】
（ステップＳ３１５）
ステップＳ３１２がＹｅｓである、またはステップＳ３１４においてテレビ受信機１００の待機状態が解除されたときに、音声調整データ自動保存処理部１０９ｂは、音声調整を続けるかをユーザーに確認するためのメッセージを生成し、ＯＳＤ処理部１０６に出力する。ＯＳＤ処理部１０６は、映像処理部１０５から出力される映像データに、音声調整を続けるかを確認するメッセージを重ね合わせ、その重ね合わせた映像データを表示処理部１０７に出力すると、音声調整を続けるかを確認するメッセージがテレビモニタ１０８に表示される。
【００６２】
（ステップＳ３１６）
次いで、音声調整データ自動保存処理部１０９ｂは、リモコン受光部１１２からユーザーが音声調整を続ける設定を入力したかを判定する。ユーザーが音声調整を続ける設定を入力したとき（ステップＳ３１６のＹｅｓ）は、音声調整データ自動保存処理部１０９ｂは、音声調整データ自動保存処理を終了する。ユーザーが音声調整を行わない設定を入力したとき（ステップＳ３１６のＮｏ）は、音声調整データ自動保存処理部１０９ｂはステップＳ３１７に進む。
【００６３】
（ステップＳ３１７）
次いで、音声調整データ自動保存処理部１０９ｂは、音声出力処理部１０４に音声調整終了通知を出力する。音声出力処理部１０４がこの音声調整終了通知を入力すると、音声出力処理部１０４は、音声が調整されているときには音声処理部１０３から出力される音声データの音域と音量の調整を終了する。
【００６４】
（ステップＳ３１８）
ステップＳ３０９がＮｏであるときに、またはステップＳ３１７に次いで、音声調整データ自動保存処理部１０９ｂは、記憶部１０９に確保していた音声調整データ保存バッファ１１０ａを開放し、音声調整データ自動保存処理を終了する。
【００６５】
次に、補聴器２００の音声調整データ自動送信処理部２０４ｂが実行する音声調整データ自動送信処理について説明する。無線通信インターフェース部２０７がテレビ受信機１００との接続を完了したときに接続完了通知を制御部２０４に出力すると、制御部２０４は音声調整データ自動送信処理部２０４ｂを起動する。音声調整データ自動送信処理部２０４ｂが起動されると、音声調整データ自動送信処理部２０４ｂは音声調整データ自動送信処理を開始する。以下、図８の音声調整データ自動送信処理のフローチャートに示すステップ順に説明する。
【００６６】
（ステップＳ４０１）
まず、音声調整データ自動送信処理部２０４ｂは、メモリ部２０５の音声調整データ保存エリア２０５ａから音声調整データを取り出す。
【００６７】
（ステップＳ４０２）
次に、音声調整データ自動送信処理部２０４ｂは、ステップＳ４０１で取り出した音声調整データを無線通信インターフェース部２０７を経由してテレビ受信機１００に送信する。
【００６８】
（ステップＳ４０３）
次に、音声調整データ自動送信処理部２０４ｂは、一定時間以内に補聴器１００から無線通信インターフェース部２０７を経由して電源状態データ要求を受信したかを判定する。電源状態データ要求を受信したとき（ステップＳ４０３のＹｅｓ）は、ステップＳ４０４に進む。電源状態データの要求を受信していないとき（ステップＳ４０３のＮｏ）は、音声調整データ自動送信処理部２０４ｂは、音声調整データ自動送信処理を終了する。
【００６９】
（ステップＳ４０４）
ステップＳ４０３がＹｅｓであるときに、音声調整データ自動送信処理部２０４ｂは、無線通信インターフェース部２０７を経由してテレビ受信機１００に電源状態データを送信する。そして、音声調整データ自動送信処理部２０４ｂは、音声調整データ自動送信処理を終了する。
【００７０】
このような他の実施例によれば、ユーザーが補聴器２００のサブ電源ルートを「ＯＮ」にし、補聴器２００を装着してテレビ受信機１００を視聴している場合でも、自動的に補聴器２００から音声調整データから送信される。また、音声調整データを受信したテレビ受信機１００は、この音声調整データを音声調整データ保存バッファ１１０ａに保存しておくことで、ユーザーがサブ電源ルートを「ＯＦＦ」にして補聴器２００を外したときでも、音声調整を行うかをユーザーに確認するメッセージを自動的に出力する。また、テレビ受信機１００の待機状態が解除された場合に、音声調整を続けて行うかをユーザーに確認するメッセージを自動的に出力する。そして、ユーザーが音声調整を続ける設定を行った場合には、音声調整データ保存バッファ１１０ａに保存されている音声調整データによりテレビ受信機１００の音声を調整することができる。
【００７１】
以上により、本発明は、通常は補聴器を装着しているユーザーが補聴器を装着しないで番組を視聴するときに、補聴器に保存されたユーザーの聴力データや補聴器の調整データを自動的にテレビ受信機に送信して、テレビ受信機の音声を調整することができるテレビ受信機の音声調整システム、及びテレビ受信機を提供することができる。
【００７２】
以上、具体的な実施の形態により本発明を説明したが、上記実施の形態は本発明の例示であり、この実施の形態に限定されないことは言うまでもない。
【産業上の利用可能性】
【００７３】
本発明は、テレビ受信機の音声調整システム、及びテレビ受信機に好適であるが、テレビ受信機だけでなくラジオ、オーディオ装置、ビデオ装置など音声を出力する装置一般に適用可能である。
【符号の説明】
【００７４】
１０・・・・・テレビ受信機の音声調整システム
１００・・・・・テレビ受信機
１０１・・・・・デジタルチューナ
１０２・・・・・ＴＳ（トランスポートストリーム）デコーダ
１０３・・・・・音声処理部
１０４・・・・・音声出力処理部
１０５・・・・・映像処理部
１０６・・・・・ＯＳＤ処理部
１０７・・・・・表示処理部
１０８・・・・・テレビモニタ
１０９・・・・・制御部
１０９ａ・・・・音声調整処理部
１０９ｂ・・・・音声調整データ自動保存処理部
１１０・・・・・記憶部
１１０ａ・・・・音声調整データ保存バッファ
１１１・・・・・補助記憶部
１１１ａ・・・・補聴器シリアル番号保存エリア
１１２・・・・・リモコン受光部
１１３・・・・・無線通信インターフェース部
１１４・・・・・電源制御部
１１５・・・・・電源
１１６・・・・・システムバス
１２０・・・・・アンテナ
１３０・・・・・リモコン
２００・・・・・補聴器
２０１・・・・・音声入力部
２０２・・・・・音声調整部
２０３・・・・・音声出力部
２０４・・・・・制御部
２０４ａ・・・・音声調整データ送信処理部
２０４ｂ・・・・音声調整データ自動送信処理部
２０５・・・・・メモリ部
２０５ａ・・・・音声調整データ保存エリア
２０５ｂ・・・・補聴器シリアル番号保存エリア
２０５ｃ・・・・電源状態データ保存エリア
２０６・・・・・操作表示部
２０７・・・・・無線通信インターフェース部
２０８・・・・・バッテリー電源制御部
２０９・・・・・バッテリー電源
【図１】
2013175923.tif 000003
【図２】
2013175923.tif 000004
【図３】
2013175923.tif 000005
【図４】
2013175923.tif 000006
【図５】
2013175923.tif 000007
【図６】
2013175923.tif 000008
【図７】
2013175923.tif 000009
【図８】
2013175923.tif 000010